(57)【要約】【課題】強い風雨時において、窓枠における結露水排出用の排水孔３を通じて屋外から屋内に吹き込む風雨の勢いを抑制し、屋内側に雨水が飛散するのを防止することができる天窓の窓枠構造を提供する。【解決手段】窓枠部材１Ａの立ち上がり板部１２の下端部に該立ち上がり板部１２から屋外側に配設される水切板部１１と屋内側に配設される結露水受け溝部１３間を連通させた排水孔３を設けてなる窓枠１において、結露水受け溝部１３の内端部側に上記排水孔３と対向させて排水孔３から吹き込む風雨を背板部５ｂの正面によって直接受止する吹き込み防止部材５を配設し、吹き込み防止部材５の内壁面を伝って流下する雨水を該吹き込み防止部材５の両側板部５ｃ、５ｃの下端に設けている通水孔５ｄを通じて結露水受け溝部１３内に滞留させるように構成している。【選択図】　　図２
2004143820.tif 000002
【特許請求の範囲】
【請求項１】
内端から外端に向かって下向きに傾斜している水切板部と、この水切板部の内端から上方に向かって突設している立ち上がり板部と、この立ち上がり板部の下端を介して上記水切板部の内端から内方に向かって突設している一定幅の結露水受け溝部と、立ち上がり板部の上端にドーム状採光板取付用枠部とを備えた窓枠部材を四方に配して平面矩形状に形成された窓枠において、上記窓枠部材における立ち上がり板部の下端に上記結露水受け溝部と水切板部の上面内端部間を連通させた排水孔を設けていると共に、この排水孔と対向させて立ち上がり板部の内面下端部に該排水孔から吹き込む風雨を受止し且つ下端が結露水受け溝部の溝底面と連通している吹き込み防止部材を固着していることを特徴とする天窓の窓枠構造。
【請求項２】
吹き込み防止部材は正面及び底面が全面的に開口している小箱形状に形成されてあり、開口している正面側を排水孔に対向させて排水孔から吹き込む風雨を背板部に受止させるように構成していると共に、両側板部の下端に結露水受け溝部と連通する通水孔を開設してあり、さらに、天板部に窓枠部材の立ち上がり板部の内面に固着させる取付片を上方に向かって突設していることを特徴とする請求項１に記載の天窓の窓枠構造。
【請求項３】
排水孔を外部から取り外し可能な栓体によって閉止していることを特徴とする請求項１または請求項２に記載の天窓の窓枠構造。
【発明の詳細な説明】
【０００１】
【発明の属する技術分野】
本発明は建物の屋根等に取付けられる天窓における窓枠構造の改良に関するものである。
【０００２】
【従来の技術】
従来から屋内への採光を確保するために、建物の屋根などに設けられた開口部に窓枠を取付け、該窓枠の開口部にガラス板製の採光板を張設してなる天窓が採用されている。このような天窓においては、室内と外気との温度差によって上記採光板の下面に結露が発生した場合、その結露水が室内側に滴下するのを防止するために、窓枠側に結露水受け溝部を設けて採光板の下面を伝う結露を取り込み、屋外に排出するように構成している。
【０００３】
具体的には、上記窓枠を構成する窓枠部材は、内端から外端に向かって下向きに傾斜している水切板部と、この水切板部の内端から上方に向かって突設している立ち上がり板部と、この立ち上がり板部の下端を介して上記水切板部の内端から内方に向かって突設している一定幅の結露水受け溝部と、立ち上がり板部の上端に突設しているドーム状採光板取付用枠部とからなり、この窓枠部材における立ち上がり板部の下端に上記結露水受け溝部と水切板部の上面内端部間を連通させた排水孔を設けている。
【０００４】
そして、このように形成している窓枠部材を四方に配して互いに直角に対向した窓枠部材の端面間を一体に連結することにより上記窓枠を形成し、この窓枠で囲まれた開口部に採光板を張設すると共にその上方における枠部にドーム状採光板を取付けて室内への採光を行っている。また、採光板の下面に発生した結露を結露水受け溝部内に取り込み、立ち上がり板部の下端に設けている上記排水孔を通じて屋外側の水切板部上に排出するように構成している（例えば、特許文献１参照）。
【０００５】
【特許文献１】
特開２０００−１１０３１１号公報（第１１〜１２頁、第８図）。
【０００６】
【発明が解決しようとする課題】
しかしながら、上記のように構成した天窓構造においては、風雨が強い場合に窓枠の水切板部側から排水孔を通じて風雨が結露水受け溝部内に吹き込み、この結露水受け溝部内に雨水が滞留すると共に、滞留した雨水が排水孔から吹き込む強風によって結露水受け溝部の内壁部を乗り越えて室内側に滴下する事態が生じるという問題点があった。
【０００７】
また、天窓の取付場所や地域等によっては採光板に結露が殆ど生じない場合があるが、このような場合においても上記排水孔を開口状態にしているので、上述したような問題点が生じることになる。
【０００８】
本発明はこのような問題点に鑑みてなされたものであって、その目的とするところは、排水孔を結露水の排出用として常時開口させている場合には、強風雨の発生時に該排水孔を通じて室内側に吹き込む風雨の勢いを抑制して結露水受け溝部からの雨水の漏れだしを防止し、また、結露が殆ど生じない場所においては、上記排水孔を閉止した状態としておくことができる天窓の窓枠構造を提供するにある。
【０００９】
【課題を解決するための手段】
上記目的を達成するために請求項１に係る発明は、内端から外端に向かって下向きに傾斜している水切板部と、この水切板部の内端から上方に向かって突設している立ち上がり板部と、この立ち上がり板部の下端を介して上記水切板部の内端から内方に向かって突設している一定幅の結露水受け溝部と、立ち上がり板部の上端にドーム状採光板取付用枠部とを備えた窓枠部材を四方に配して平面矩形状に形成された窓枠において、上記窓枠部材における立ち上がり板部の下端に上記結露水受け溝部と水切板部の上面内端部間を連通させた排水孔を設けていると共に、この排水孔と対向させて立ち上がり板部の内面下端部に該排水孔から吹き込む風雨を受止し且つ下端が結露水受け溝部の溝底面と連通している吹き込み防止部材を固着した構造としている。
【００１０】
このように構成した天窓の窓枠構造において、請求項２に係る発明は、吹き込み防止部材の好ましい構造に関するもので、正面及び底面が全面的に開口している小箱形状に形成されてあり、開口している正面側を排水孔に対向させて排水孔から吹き込む風雨を背板部に受止させるように構成していると共に、両側板部の下端に結露水受け溝部と連通する通水孔を開設してあり、さらに、天板部に窓枠部材の立ち上がり板部の内面に固着させる取付片を上方に向かって突設した構造としている。
【００１１】
また、請求項３に係る発明は、上記排水孔を窓枠部材における外面側から取り外し可能な栓体によって閉止していることを特徴とする。
【００１２】
【作用】
室内と外気との温度差によって、天窓の窓枠に張設している採光板の下面に結露が発生した場合には、該結露水は採光板の下面を伝って結露水受け溝部内に受け入れられたのち、吹き込み防止部材の下端通水孔を通じてこの吹き込み防止部材内に流入し、排水孔を通じて屋外側の水切板部上に排出される。また、強風雨時において風雨が水切板部側から排水孔を通じて結露水受け溝部内に吹き込もうとすると、該排水孔に連通させた状態で配設している上記吹き込み防止部材の背板部に風雨が直接流突し、吹き込み防止部材内で四方に拡散して風の勢いが急激に低下すると共に雨水は吹き込み防止部材の内壁面を伝って流下し、吹き込み防止部材の下端に設けている通水孔を通じて結露水受け溝部内に滞留する。
【００１３】
従って、結露水受け溝部内に滞留した雨水は排水孔から吹き込む強風に何等影響を受けることがなく、強風により結露水受け溝部を乗り越えるような事態が発生する虞れはない。そして、排水孔からの風雨の吹き込みがおさまると、結露水受け溝部内に滞留している雨水は通水孔から吹き込み防止部材内を通じて排水孔から屋外の水切板部上に排出される。
【００１４】
なお、上記天窓を結露が殆ど発生する虞れのない場所等に取付ける場合には、窓枠部材の立ち上がり板部の下端に設けている上記排水孔を栓体によって閉止しておくものであり、このように構成しておくと、当然のことながら該排水孔から窓枠内に風雨が吹き込むのを確実に阻止することができる。
【００１５】
この栓体や上記吹き込み防止部材は、天窓を施工する現場に窓枠部材等の天窓構成部材を搬入する際に該窓枠部材に取付けておき、結露が発生する虞れのある場合には現場において排水孔から栓体を取り外せばよい。この際、栓体は窓枠部材における外部側から、即ち、水切板部側から取り外しが行えるように構成しているので、内側に上記吹き込み防止部材が取付けられているにもかかわらず、排水孔から簡単に抜き取ることができる。
【００１６】
【発明の実施の形態】
次に、本発明の具体的な実施の形態を実施例を図面について説明すると、図１および図２において、１は平面矩形状に形成されたアルミニウム製又はアルミ合金製の窓枠であって、長さ方向の両端が外端側から内端側に向かって４５度の角度でもって傾斜している傾斜端面に形成された一定幅を有する平面細長台形状の窓枠部材１Ａを四方に配し、互いに直角に配設した窓枠部材１Ａ、１Ａの対向する傾斜端面を突き合わせ状に溶接接合して一体にすることにより形成されたものであり、これらの四方窓枠部材１Ａで固まれた空間部を窓枠開口部２に形成している。なお、窓枠１は窓枠部材１Ａを溶接して形成したが、適宜な連結金具により行ってもよい。
【００１７】
上記窓枠部材１Ａの構造は、図２に示すように、幅方向である内端から外端に向かって緩やかに下向きに傾斜している一定幅を有する水切板部１１と、この水切板部１１の内端から上方に向かって垂直に突設している一定高さの立ち上がり板部１２と、この立ち上がり板部１２の下端に対して直角となるように上記水切板部１１の内端から内方に向かって突設している一定幅の結露水受け溝部１３と、上記立ち上がり板部１２の上端から外方に向かって直角に突設している一定幅を有するドーム状採光板取付用枠部１４とを備えた構造を有している。
【００１８】
さらに、この窓枠部材１Ａにおける上記立ち上がり板部１２の上部内面には内方に向かって矩形板状の採光板Ｐ１の端縁部下面を受止する一定幅を有する水平支持片１５を突設していると共に、上記水切板部１１の幅方向の中間部下面と内端下面とに建物の屋根の開口部周縁に固着しているサッシアンカー２０に固定するための脚片１６、１７を垂設している。なお、上記結露水受け溝部１３の内端には上方に向かって該結露水受け溝部１３の内壁片１３’　を突設している。
【００１９】
また、上記ドーム状採光板取付用枠部１４の上面にはパッキン２１を嵌挿させているパッキン装着溝１８を一体に設けていると共に外端には下方に向かって段状の係止枠部１９を垂設している。
【００２０】
このように構成している窓枠部材１Ａにおいて図２、図６に示すように、上記立ち上がり板部１２の下端における１個所又は複数個所に、上記水切板部１１の上面内端と上記結露水受け溝部１３の溝底面とを連通させている排水孔３を穿設していると共にこの排水孔３を外側、即ち、水切板部１１側から取り外し可能なゴム製栓体４によって閉止してあり、さらに、立ち上がり板部１２の内面下端部において、上記排水孔３と対向する位置に排水孔３から吹き込む風雨を受止して結露水受け溝部１３内に風雨が直接吹き込むのを阻止する吹き込み防止部材５を取付けている。
【００２１】
この吹き込み防止部材５の具体的な構造としては、図２〜図４及び図６に示すように、立ち上がり板部１２の内面に対向する正面側と結露水受け溝部１３の溝底に対向する底面側とが全面的に開口している小箱形状に形成されている。即ち、天板部５ａの内端に下方に向かって一定高さの背板部５ｂを一体に設けていると共にこれらの天板部５ａと背板部５ｂとの両側端に両側板部５ｃ、５ｃの上端と後端とを一体に連設させた形状として正面側と底面側とを全面的に開口させた構造としてあり、さらに、上記両側板部５ｃ、５ｃの下端部の適宜な個所を半円形状等の適宜な形状に切欠くことによって結露水受け溝部１３の内底面を通じて該結露水受け溝部１３と吹き込み防止部材５内とを連通させた通水孔５ｄを形成している。このように、正面側を全面的に開口していると、吹き込み防止部材５を窓枠部材１Ａに取り付ける際に排水孔３の位置を余り気にする必要がなく、取り付けが容易となる。なお、正面側にも板を設け、排水孔３に合致する孔を設けるようにしてもよい。
【００２２】
また、上記天板部５ａの外端には上方に向かって垂直に一定高さの取付片５ｅを突設してあり、この取付片５ｅを窓枠部材１Ａの上記立ち上がり板部１２に面接させ、且つ、背板部５ｄと両側板部５ｃ、５ｃとの下端面を結露水受け溝部１３の内端部底面上に接した状態にして、取付片５ｅに設けている取付孔５ｆにタップビス６を通して取付片５ｅを立ち上がり板部１２に固着することにより、吹き込み防止部材５を結露水受け溝部１３内において排水孔３に対して該背板部５ｄを小間隔を存して対向させた状態で配設している。又、この取付片５ｅは、必ずしも天板部５ａの外端から上方に突設されなくてもよく、両側板部５ｃ、５ｃの前端部から左右各々外側方向に突設されてもよく、この場合は複数のボルト挿通孔を立ち上がり板部１２に設け、適宜タップビス６によって立ち上がり板部１２に固着する。勿論、天板部５ａと両側板部５ｃ、５ｃの両方に取付片５ｅが設けられてもよい。
【００２３】
一方、排水孔３を閉止している上記ゴム製の栓体４は、図２、図５及び図６に示すように、長さ方向の中央部に、長さが窓枠部材１Ａの立ち上がり板部１２の肉厚に等しく外径が上記排水孔３の孔径に等しい小径栓部４ａを形成してあり、この小径栓部４ａの長さ方向の外端に大径円板部４ｂを、内端には先端に向かって先細に形成している截頭円錐形状部４ｃを一体に設けてなるものである。この截頭円錐形状部４ｃは、小径栓部４ａとの連設部分が該小栓部４ａよりも大径で、先端部は小径に形成されていると共に栓体４の全体が弾性的に拡縮可能に形成している。
【００２４】
そして、上記排水孔３に窓枠部材１Ａの立ち上がり板部１２側からその截頭円錐形状部４ｃを縮径させながら押し込んで挿通させると截頭円錐形状部４ｃが弾性的に拡径することにより、小径栓部４ａで排水孔３を密閉可能であり、立ち上がり板部１２側から大径円板部４ｂを引っ張ることによって截頭円錐形状部４ｃを縮径させながら排水孔３から抜き取り可能に構成している。
【００２５】
この栓体４は上記吹き込み防止部材５と共に図７に示すように、窓枠部材１Ａに取付けられた状態で出荷されたり現場まで搬入され、必要に応じて排水孔３から抜き取られる。
【００２６】
天窓は次のようにして組み立てられる。まず、窓枠１に矩形板状の採光板Ｐ１を張設するには、四方の窓枠部材１Ａの立ち上がり板部１２から内方に向かって結露水受け溝部１３の上方に突設している水平支持片１５上にパッキンを介して採光板Ｐ１の四方周縁部の下面を載置することににより行われる。この場合、その上面を適宜な押さえ板（図示せず）によって固定させておいてもよい。また、採光板Ｐ１は水平支持片１５上に支持させることなく、窓枠部材１Ａの結露水受け溝部１３の上方に断面Ｌ字状の支持金具（図示せず）を配設してこの支持金具を結露水受け溝部１３の内壁片１３’　に固着し、この支持金具上に支持させてもよい。なお、この場合には支持金具に、結露水受け溝部１３に結露水を滴下させる通水孔が設けられている。
【００２７】
一方、ドーム状の採光板Ｐ２の取付けは、その周縁部下面を窓枠部材１Ａにおける上記ドーム状採光板取付用枠部１４上にパッキン２１を介して支持させたのち、断面逆Ｌ字状の固定枠部材７を窓枠部材１Ａのドーム状採光板取付用枠部１４の外側に沿って配設し、この固定枠部材７によって採光板Ｐ２の周縁部上面を押さえることによって行われる。
【００２８】
上記固定枠部材７は、図２、図８に示すように、水平板部７ａと垂直板部７ｂとによって上述したように断面逆Ｌ字状に形成されてあり、その水平板部７ａの先端部下面にパッキン２２を装着しているパッキン装着溝７ｃを形成して、このパッキン２２と上記ドーム状採光板取付用枠部１４上のパッキン２１とでドーム状採光板Ｐ２の周縁部を挟着している。さらに、固定枠部材７の垂直板部７ｂの下端部に内方に向かって係止片７ｄを突設してあり、この係止片７ｄに断面中空縦長矩形状の位置決め枠材８の下端を支持させ、この位置決め枠材８の内外垂直面をそれぞれドーム状採光板取付用枠部１４の段状の係止枠部１９における垂直面と、固定枠部材７の垂直板部７ｂの内面とに密接させると共に位置決め枠材８の下端から内方に突設している水平突片８ａの上面を係止枠部１９の下端に係止させた状態にして固定枠部材７の適所と係止枠部１９間をボルト・ナット２３によりこの位置決め枠材８を介して固着している。
【００２９】
このように、固定枠部材７の垂直板部７ｂとドーム状採光板取付用枠部１４の係止枠部１９の垂直面間に断面中空の縦長矩形状位置決め枠材８を介在させた状態でボルト・ナット２３に締め付けると、ボルトによる締付力によって固定枠部材７が内方に傾斜したり歪み変形するのをこの位置決め枠材８によって阻止し、固定枠部材７を正確に且つ体裁よく取付けることができるものである。
【００３０】
こうして、固定枠部材７を取付けたのち、直角に隣接する固定枠部材７、７のコーナ接合部分を図２、図９に示すようにコーナカバー部材９によって被覆する。このコーナカバー部材９は図１０に示すように、隣接する固定枠部材７、７の直角に接合した垂直板部７ｂ、７ｂの対向端部を被覆する横断面Ｌ字状の直角垂直面部９ａと、この直角垂直面部９ａの上端から内方に向かって直角に屈折して隣接する固定枠部材７、７の直角に接合した水平板部７ａ、７ａの対向端部を被覆する水平面部９ｂと、この水平面部９ｂの直角に形成されている内端縁から下方に向かって突設して隣接する固定枠部材７、７の直角に接合した水平板部７ａ、７ａの内端面を被覆する直角屈曲片部９ｃとからなり、上記直角垂直面部９ａの下端とこの直角屈曲片部９ｃの下端とに、固定枠部材７、７の直角に連なる垂直板部７ｂ、７ｂの下端面に係止する下端係止片９ｄと、固定枠部材７、７の直角に連なる水平板部７ａ、７ａの内端面に係止する内端係止片９ｅをそれぞれ突設している。
【００３１】
従来のコーナ部材においては、上記下端係止片９ｄや内端係止片９ｅが設けられていなく、そのため、該コーナ部材を両面テープを介して固定枠部材７、７間のコーナ部分上に取付けた場合、隣接する固定枠部材７、７間の段差等によって密着性が悪くて施工時や施工後に外れる虞れが生じるが、上記のように構成したコーナカバー部材９は、その下端係止片９ｄと内端係止片９ｅとを直角に連なる固定枠部材７、７の垂直板部７ｂ、７ｂの下端面と水平板部７ａ、７ａの内端面とにそれぞれ係止させるので、隣接する固定枠部材７、７の接合端面間に段差やズレを生じさせることなく直角方向に正確に接続させることができる。また、内端係止片９ｅの下面を曲面としても良く、この場合はコーナカバー部材９が固定枠部材７、７に取付け易くなる。
【００３２】
こうして組立てられた天窓は、屋根に設けた開口部２の四方周縁部上に窓枠１を配設すると共に、窓枠１を構成している窓枠部材１Ａの水切板部１１の下面に垂設している脚片１６、１７を建物側の差筋等の金具に溶接により固着しているサッシアンカー２０に係止させて固定することにより行われる。開口部２に張設している上記矩形板状の採光板Ｐ１に結露が殆ど発生する虞れのない場所においては、窓枠１における四方の窓枠部材１Ａの排水孔３に挿嵌している栓体４を取り外すことなく図２、図７に示すように、該排水孔３を閉止した状態にしておく。従って、台風等の強風雨においては、窓枠部材１Ａにおける屋外側の水切板部１１上を伝って風雨が排水孔３から結露水受け溝部１３に吹き込むのを防止することができる。
【００３３】
一方、採光板Ｐ１の下面に結露水が発生する場所においては、天窓の施工時、又は施工後に、屋外側、即ち、水切板部１１側から排水孔３を閉止している上記栓体４を抜き取って排水孔３を開口させる。そうすると、窓枠部材１Ａにおける立ち上がり板部１２の内面に排水孔３と対向させて固着している吹き込み防止部材５内が排水孔３を通じて屋外側の上記水切板部１１の上面に連通した状態となる。
【００３４】
従って、室内と外気との温度差によって、天窓の窓枠１に張設している上記採光板Ｐ１の下面に結露が発生した場合、その結露水が該採光板Ｐ１の下面を伝ってこの採光板Ｐ１の端縁部を支持している水平支持片１５に達し、該水平支持片１５から結露水受け溝部１３内に滴下する。結露水受け溝部１３内に滴下、滞留した結露水は、吹き込み防止部材５の両側板部５ｃ、５ｃの下端に設けている通水孔５ｄを通じて吹き込み防止部材５内に受入れられたのち、この吹き込み防止部材５内から排水孔３を通じて水切板部１１上に排出される。
【００３５】
また、台風等の強風雨時においては図１１に示すように、風雨が水切板部１１から排水孔３を通じて結露水受け溝部１３内に吹き込むが、結露水受け溝部１３内へは直接、吹き込むことなく、排水孔３と小間隔を存して対向している上記吹き込み防止部材５の背板部５ｂの正面に直接流突して吹き込み防止部材５内で四方に反射、飛散する。この流突によって風雨のエネルギー（勢い）が急激に減衰させられ、背板部５ｂに流突、受止されたのち、雨水は吹き込み防止部材５の内壁面を伝って流下して、風と共に両側の通水孔５ｄ、５ｄから結露水受け溝部１３の内端部に向かって該結露水受け溝部１３の長さ方向に排出され、結露水受け溝部１３内に滞留する。この時、通水孔５ｄ、５ｄを立ち上がり板部１２側に寄せて切欠き形成すると、より一層充分に風雨のエネルギー（勢い）を減衰させてから穏やかに雨水を排出させることができる。
【００３６】
こうして結露水受け溝部１３内に滞留した雨水は、外部から排水孔３を通じて吹き込み防止部材５内に吹き込む強風に何等の影響を受けることはないから、強風によって内壁片１３’　を乗り越えるような事態は発生しない。そして、風雨がおさまると、結露水受け溝部１３内に滞留している雨水は、通水孔５ｄを通じて吹き込み防止部材５内に入り、排水孔３を通じて水切板部１１の上面に排出されるものである。
【００３７】
【発明の効果】
以上のように請求項１に係る発明は、窓枠部材における立ち上がり板部の下端に、窓枠部材の結露水受け溝部と水切板部の上面内端部間を連通させた排水孔を設けていると共に、この排水孔と対向させて立ち上がり板部の内面下端部に該排水孔から吹き込む風雨を受止し且つ下端が結露水受け溝部の溝底面と連通している吹き込み防止部材を固着しているので、通常時は、結露水受け溝部内に滞留した結露水を吹き込み防止部材内から排水孔を通じて屋外の水切板部上に排出することができるのは勿論、風雨が強い天候時において、上記排水孔から結露水受け溝部内に風雨が吹き込もうとする時に、該風雨を吹き込み防止部材によって受止してその勢いを急激に減少させることができ、従って、結露水受け溝部内に滞留する雨水が風圧によって結露水受け溝部内から飛び出すのを確実に防止することができる。
【００３８】
上記吹き込み防止部材の構造としては、請求項２に記載したように、その正面側及び底面側が全面的に開口している小箱形状に形成してあり、開口している上記正面側を排水孔に対向させて排水孔から吹き込む風雨を背板部に受止させるように構成していると共に、両側板部の下端に結露水受け溝部と連通する通水孔を開設し、さらに、天板部に窓枠部材の立ち上がり板部の内面に固着させる取付片を上方に向かって突設しているので、この取付片を窓枠部材の立ち上がり板部に固着することによって該吹き込み防止部材内を排水孔の内方に連通させた状態で正確に固着することができる。
【００３９】
また、強い風雨発生時においては、排水孔を通じて吹き込む風雨を該吹き込み防止部材の背板部に直接、流突させて上述したようにその勢いを急激に減少させたのち、一旦、吹き込み防止部材内に滞留させ、しかるのち、この雨水を吹き込み防止部材の両側板部の下端通水孔から結露水受け溝部の内端部に向かって該結露水受け溝部の長さ方向に波立たせることなく円滑に排出することができるものであり、風雨が弱くなったりおさまった場合には、結露水受け溝部内に滞留している雨水を通水孔から吹き込み防止部材内と排水孔を通じて外部に確実に排出することができる。
【００４０】
請求項３に係る発明によれば、上記排水孔を外部から取り外し可能な栓体によって閉止しているので、結露が発生する虞れが殆どない場所においては、この栓体によって排水孔を密閉した状態にしておくことにより、上述したような窓枠内への風雨の吹き込みを確実に阻止することができると共に強風時における塵埃等の浸入も防止することができるものであり、また、結露が発生する場所においては屋外に露出している窓枠の外部、即ち、水切板部の上面側からこの栓体を簡単に引き抜くことができ、排水孔を開口させた状態にすることができる。
【図面の簡単な説明】
【図１】本発明の窓枠の簡略平面図、
【図２】その一部の縦断側面図、
【図３】吹き込み防止部材の斜視図、
【図４】その縦断側面図、
【図５】栓体の斜視図、
【図６】排水孔に対する栓体と吹き込み防止部材との分解斜視図、
【図７】栓体及び吹き込み防止部材を取付けた状態の窓枠部材の斜視図、
【図８】ドーム状採光板の取付状態を示す窓枠部材と固定枠部材との縦断側面図、
【図９】そのコーナ部分の簡略斜視図、
【図１０】コーナ部材の斜視図、
【図１１】排水孔から風雨が吹き込んでいる状態を示す縦断側面図。
【符号の説明】
１　窓枠
１Ａ　窓枠部材
２　開口部
３　排水孔
４　栓体
５　吹き込み防止部材
７　固定枠部材
８　位置決め枠材
９　コーナ部材
１１　水切板部
１２　立ち上がり板部
１３　結露水受け溝部
１４　ドーム状採光板取付用枠部
【図１】
2004143820.tif 000003
【図２】
2004143820.tif 000004
【図３】
2004143820.tif 000005
【図４】
2004143820.tif 000006
【図５】
2004143820.tif 000007
【図６】
2004143820.tif 000008
【図７】
2004143820.tif 000009
【図８】
2004143820.tif 000010
【図９】
2004143820.tif 000011
【図１０】
2004143820.tif 000012
【図１１】
2004143820.tif 000013